(57)【要約】【課題】画像表示システムにおいて、出力画像に依存せず文字画像を表示する。【解決手段】この発明にかかる画像表示システムは、文字符号情報を送信する端末であるホスト端末４００と、ホスト端末４００とネットワークを介して接続され、画像を表示する画像表示装置１００とを備え、画像表示装置１００は、映像信号が入力される第１入力手段である入力ソース選択手段１と、ホスト端末４００から送信される文字符号情報を受信する第１ネットワークインターフェース手段であるネットワークＩ／Ｆ手段５と、ネットワークＩ／Ｆ手段５における文字符号情報から、文字画像を生成する文字画像生成手段６と、入力ソース選択手段１における映像信号と、文字画像生成手段６における文字画像とを合成する画像合成手段３と、画像合成手段３において合成した画像を表示する画像表示手段４とを備える。【選択図】図１
2010243865.tif 000002
【特許請求の範囲】
【請求項１】
文字符号情報を送信する端末と、
前記端末とネットワークを介して接続され、画像を表示する画像表示装置と、
を備え、
前記画像表示装置は、
映像信号が入力される第１入力手段と、
前記端末から送信される前記文字符号情報を受信する第１ネットワークインターフェース手段と、
前記第１ネットワークインターフェース手段における前記文字符号情報から、文字画像を生成する文字画像生成手段と、
前記第１入力手段における前記映像信号と、前記文字画像生成手段における前記文字画像とを合成する画像合成手段と、
前記画像合成手段において合成した画像を表示する画像表示手段とを備える、
画像表示システム。
【請求項２】
前記文字符号情報に対応する文字形状の情報である文字画像情報を予め記憶する記憶手段をさらに備え、
前記文字画像生成手段は、前記文字符号情報と、前記記憶手段における前記文字画像情報とから、前記文字画像を生成する、
請求項１に記載の画像表示システム。
【請求項３】
前記第１入力手段は、入力される前記映像信号の切り替え、選択を行う入力ソース選択手段である、
請求項１または２に記載の画像表示システム。
【請求項４】
複数の前記画像表示装置を備える画像表示システムであって、
前記端末は、
前記文字画像を表示可能な前記画像表示装置を、検出プロトコルによって検出する検出手段と、
前記検出手段において検出した前記画像表示装置を記憶する表示装置記憶手段とを備える、
請求項１〜３のいずれかに記載の画像表示システム。
【請求項５】
前記端末は、
文字列を外部入力可能な第２入力手段と、
前記第２入力手段における前記文字列から、前記文字符号情報を生成する文字符号情報生成手段と、
前記文字符号情報生成手段において生成した前記文字符号情報を、前記ネットワークに送信するための通信コマンドに変換する通信コマンド変換手段と、
前記通信コマンド変換手段において変換した前記通信コマンドを、前記複数の画像表示装置に送信する第２ネットワークインターフェース手段とをさらに備え、
前記検出プロトコルは、予め決められた所定文字列を前記ネットワークを介して前記複数の画像表示装置に送信し、前記文字画像を表示可能な前記画像表示装置が前記ネットワークを介してその応答送信をすることで、前記文字画像を表示可能な前記画像表示装置を検出する、
請求項４に記載の画像表示システム。
【請求項６】
前記表示装置記憶手段は、前記検出した前記複数の画像表示装置をリスト化して記憶する、
請求項４または５に記載の画像表示システム。
【発明の詳細な説明】
【技術分野】
【０００１】
本発明は、表示画像に重ねて文字画像を表示する画像表示システムに関する。
【背景技術】
【０００２】
従来の画像表示システムにおける画像表示装置で、表示画像上に文字を表示する方法として、アナログ映像信号の垂直帰線期間内を利用して、ある特定の水平走査期間に重畳された文字符号情報をデコードするのが一般的である。この方法は、アメリカや日本のテレビの文字放送や、ビデオソフトやＤＶＤ等の記録信号内に広く用いられている。
【０００３】
しかし、これら文字符号情報は映像信号に付加された状態で画像表示装置に入力される為、文字符号情報は映像信号に依存し、画像表示装置の使用者が画像表示装置に表示される文字符号情報を加工・編集する方法は準備されていないという問題があった。
【０００４】
上記の改善策として、上記文字符号情報の重畳位置を上記特定の水平走査期間とは異なる水平走査期間に設定し、設定した水平走査期間に文字符号情報を付加し、画像表示装置では、文字符号情報を付加された部分の水平走査期間の情報を読み込むことにより元の映像信号に依存しない文字画像を表示することを可能にしているものもある（特許文献１参照）。
【先行技術文献】
【特許文献】
【０００５】
【特許文献１】特開平３−１３１８５号公報
【発明の概要】
【発明が解決しようとする課題】
【０００６】
この様に従来の方法であると、映像コンテンツの製作段階で付加する文字符号情報が固定化される為、映像コンテンツの製作者以外に文字符号情報を加工・編集などを行うことは原則として不可能である。また、特許文献１に示されている改善策においても文字符号情報を映像信号に付加する為には専用装置が必要となり、その装置を準備する事は使用者にとって大きな負担となる。また、画像表示装置において文字符号情報を利用するには、文字符号情報が付加された映像信号を表示している場合に限定される為、画像表示装置の入力信号が制限されるので、利便性が損なわれるという問題があった。
【０００７】
また、複数の画像表示装置に対し一斉に文字画像を提供したい場合、文字符号情報を付加した一の映像信号を各画像表示装置に供給しても表示映像は画像表示装置での選択に依存する（すなわち前記一の映像信号が選択される場合もあれば、他の映像信号が選択される場合もある）為、全ての画像表示装置で確実に文字画像を表示させることは困難であるという問題があった。
【０００８】
本発明は上記の問題を解決するためになされたものであり、出力画像に依存せず文字画像を表示できる画像表示システムの提供を目的とする。
【課題を解決するための手段】
【０００９】
この発明にかかる画像表示システムは、文字符号情報を送信する端末と、前記端末とネットワークを介して接続され、画像を表示する画像表示装置とを備え、前記画像表示装置は、映像信号が入力される第１入力手段と、前記端末から送信される前記文字符号情報を受信する第１ネットワークインターフェース手段と、前記第１ネットワークインターフェース手段における前記文字符号情報から、文字画像を生成する文字画像生成手段と、前記第１入力手段における前記映像信号と、前記文字画像生成手段における前記文字画像とを合成する画像合成手段と、前記画像合成手段において合成した画像を表示する画像表示手段とを備える。
【発明の効果】
【００１０】
この発明にかかる画像表示システムによれば、文字符号情報を送信する端末と、前記端末とネットワークを介して接続され、画像を表示する画像表示装置とを備え、前記画像表示装置は、映像信号が入力される第１入力手段と、前記端末から送信される前記文字符号情報を受信する第１ネットワークインターフェース手段と、前記第１ネットワークインターフェース手段における前記文字符号情報から、文字画像を生成する文字画像生成手段と、前記第１入力手段における前記映像信号と、前記文字画像生成手段における前記文字画像とを合成する画像合成手段と、前記画像合成手段において合成した画像を表示する画像表示手段とを備えることにより、任意の文字列を文字符号情報として画像表示装置に送信し、画像表示装置において文字画像として映像信号と合成することができるので、映像信号に固定化されない（依存しない）文字画像を表示映像上に表示することが可能となる。
【図面の簡単な説明】
【００１１】
【図１】この発明の実施の形態１の構成を示すブロック図である。
【図２】この発明の実施の形態１のホスト端末４００の構成ブロック図である。
【図３】この発明の実施の形態１のホスト端末４００の画像表示装置検出を行う時のフローチャートである。
【図４】この発明の実施の形態１のホスト端末４００の文字符号情報を生成し、ネットワークに送信する時のフローチャートである。
【図５】この発明の実施の形態１の画像表示装置の検出プロトコルの処理を示すシーケンスフロー図である。
【図６】この発明の実施の形態２の構成を示すブロック図である。
【図７】この発明の実施の形態２のホスト端末４０１の画像表示装置検出を行う時のフローチャートである。
【図８】この発明の実施の形態２のホスト端末４０１の文字符号情報を生成し、ネットワークに送出を行う時のフローチャートである。
【発明を実施するための形態】
【００１２】
＜Ａ．実施の形態１＞
＜Ａ−１．画像表示システムの構成＞
以下、本発明に係る画像表示装置の実施の形態１を説明する。
【００１３】
図１はこの発明装置の実施の形態１の概略構成を示すブロック図である。
【００１４】
本発明装置は図１に示す様に、文字符号情報を送信するホスト端末４００と、ホスト端末４００とネットワークを介して接続され、画像を表示する画像表示装置１００とで構成されている。
【００１５】
＜Ａ−２．画像表示装置の構成＞
図１に示すうちの画像表示装置１００は、映像信号が入力される第１入力手段としての入力ソース選択手段１と、ホスト端末４００から送信される文字符号情報を受信する第１ネットワークインターフェース手段としてのネットワークＩ／Ｆ手段５とを備え、ネットワークＩ／Ｆ手段５における文字符号情報と、記憶手段７において予め記憶された文字符号情報に対応する文字形状の情報である文字画像情報とから、文字画像を生成する文字画像生成手段６と、入力ソース選択手段１における映像信号に画像信号処理手段２で処理をした信号と、文字画像生成手段６における文字画像とを合成する画像合成手段３と、画像合成手段３において合成した画像を表示する画像表示手段４とを備える。
【００１６】
入力ソース選択手段１は、ＤＶＤプレーヤー８などのアナログ映像信号入力を受けるＲＣＡジャックやＳ端子、デジタル映像信号入力を受けるＨＤＭＩ、ＤＶＩ−Ｄ端子、パーソナルコンピュータ９などの入力信号を受けるＤ−ＳＵＢ端子からの信号を、図示しない使用者の入力切替操作に合わせて該当する信号へ切り替え、選択を行う。
【００１７】
画像信号処理手段２は、入力ソース選択手段１から入力された各種形式の画像信号を、表示画像を生成する表示画像生成デバイス用の入力に合わせた信号形式に変換する。また、各種画像調整も行う。
【００１８】
ネットワークＩ／Ｆ手段５は、例えばＬＡＮ等の規格に基づくネットワークインターフェースであり、接続された外部の機器（図１ではホスト端末４００）と通信を行う。
【００１９】
文字画像生成手段６は、文字符号情報を文字画像として表示するための画像データを生成する。
【００２０】
記憶手段７は、文字画像として画面表示するための、文字符号情報に対応する文字データが記憶されており、接続された機器に要求される文字データ（文字形状等）を出力する。
【００２１】
＜Ａ−３．画像表示装置の動作＞
次に、画像表示装置１００の動作について説明する。
【００２２】
まず入力ソース選択手段１に入力されるＤＶＤプレーヤー８やパーソナルコンピュータ９等の入力信号から選択された映像信号を出力する。
【００２３】
入力ソース選択手段１の出力は、画像信号処理手段２へ入力され、各種画像調整を加えた後、画像表示手段４の表示画像を生成する表示画像生成デバイス用の入力に合わせた信号形式に変換し、表示映像信号として画像合成手段３へ出力される。
【００２４】
次に、ネットワークＩ／Ｆ手段５では、ＬＡＮ等のネットワークに接続し、ホスト端末４００から送信される文字符号情報を文字画像として表示可能な画像表示装置を検出する検出プロトコルにて、ネットワーク経由で文字画像として表示可能である画像表示装置であることをホスト端末４００が特定するために応答する。応答した画像表示装置のみがホスト端末４００から文字符号情報を取得する。
【００２５】
ホスト端末４００との通信で取得した文字符号情報は、ネットワークＩ／Ｆ手段５の出力から文字画像生成手段６へ入力される。文字画像生成手段６は、文字符号情報から文字表示に必要な情報を抜き出し、文字画像を作成するための文字列データや文字飾り、表示位置などの情報を生成し、文字列データの文字形状を記憶手段７から取得して文字画像を作成し、体裁情報等を加えて文字画像データを生成する。
【００２６】
画像合成手段３では、画像信号処理手段２より出力された表示映像信号の上に、文字画像生成手段６で生成された文字画像データを合成する。
【００２７】
画像合成手段３より出力された表示映像信号は画像表示手段４へ入力され、画像表示手段４により表示される映像には表示画像１０の様に、入力選択した映像上にホスト端末４００で入力された文字符号情報が文字画像として表示される。
【００２８】
以上の様に、画像表示装置１００にネットワークインターフェースを付加し、ホスト端末４００から画像表示装置１００を検出する検出プロトコルによって検出された画像表示装置１００に文字符号情報を送信し、画像表示装置１００で受信した文字符号情報から文字画像を生成して表示画像に合成するので、表示画像に依存せず文字画像を表示映像上に表示する効果がある。
【００２９】
また、任意の文字列を文字符号情報として画像表示装置１００に送信し、画像表示装置１００において文字画像として映像信号と合成することができるので、映像信号に固定化されない文字画像を表示映像上に表示することが可能となる。
【００３０】
＜Ａ−４．ホスト端末の構成＞
次に、文字符号情報を送出するホスト端末４００について説明する。図２はこの発明装置のホスト端末４００の概略構成を示すブロック図である。なお、ホスト端末４００は、複数の画像表示装置と接続されうるものである。
【００３１】
ホスト端末４００は、文字列を外部入力可能な第２入力手段としての表示文字列入力手段２１と、表示文字列入力手段２１における文字列から、文字符号情報を生成する文字符号情報生成手段２２と、文字符号情報生成手段２２において生成した文字符号情報を、ネットワークに送信するための通信コマンドに変換する通信コマンド変換手段２３と、通信コマンド変換手段２３において変換した通信コマンドを、画像表示装置に送信する第２ネットワークインターフェース手段としてのネットワークＩ／Ｆ手段２０と、ネットワークＩ／Ｆ手段２０を介して、文字画像を表示可能な画像表示装置を検出プロトコルによって検出する検出手段２６と、検出手段２６において検出した画像表示装置を記憶する表示装置記憶手段である検出画像表示装置情報記憶手段２４とを備える。
【００３２】
ホスト端末４００は、例えばパーソナルコンピュータであってもよく、ＬＡＮ等のネットワークＩ／Ｆ手段２０を備えることができる。
【００３３】
表示文字列入力手段２１は、例えば文字入力画面と文字表示の体裁に係る設定項目から構成されたＧＵＩであり、使用者は文字入力画面にキーボード等から表示したい文字列を入力し、表示の体裁について設定項目から選択する。
【００３４】
文字符号情報生成手段２２は、ＧＵＩ等で入力された情報に基づき、文字符号情報を生成する。
【００３５】
通信コマンド変換手段２３は、文字符号情報をネットワークに送出するための通信コマンドに変換する。
【００３６】
検出画像表示装置情報記憶手段２４は、画像表示装置の情報を記憶するための記憶手段である。
【００３７】
＜Ａ−５．ホスト端末の動作＞
次に、ホスト端末４００の動作の詳細について説明する。
【００３８】
ホスト端末４００における検出手段２６は、ネットワークに対し後述する文字画像が表示可能な画像表示装置を検出するための画像表示装置の検出プロトコルで画像表示装置検出コマンドをネットワークＩ／Ｆ手段２０を介して送信する。文字画像が表示可能な画像表示装置、例えば実施の形態１で示した画像表示装置１００は検出プロトコルに反応し、ホスト端末４００に対し応答を送信する。ホスト端末４００は応答を受信した場合、その画像表示装置の情報を検出画像表示装置情報記憶手段２４に保存する。
【００３９】
次に、ホスト端末４００は、表示文字列入力手段２１で使用者から表示文字列の入力を受ける。表示文字入力が完了した後、使用者が情報を送信すると表示文字列入力手段２１の出力は文字符号情報生成手段２２において入力文字列を文字コードに変換し、体裁をコード化して文字符号情報を生成し、生成された文字符号情報は通信コマンド変換手段２３にて通信用のコマンドに変換する。
【００４０】
通信コマンド変換手段２３の出力はネットワークＩ／Ｆ手段２０へ送られ、ネットワークＩ／Ｆ手段２０は検出画像表示装置情報記憶手段２４に記憶された情報を基に送信先を決定し、通信コマンド変換手段２３の出力を送信する。
【００４１】
ネットワークＩ／Ｆ手段２０より送出された通信データは、画像表示装置１００で受信され、当該通信データから文字画像が生成されると、表示画像１０の様に表示画像中に文字画像を表示する。
【００４２】
次に、ホスト端末４００の動作の流れをフローチャートで説明する。図３は、ホスト端末４００のプロジェクタ（画像表示装置）検出の動作を示すフローチャートである。
【００４３】
まず、開始（ステップＳ１０１）よりシーケンスを開始すると後述する画像表示装置の検出プロトコルによる画像表示装置検出コマンドを送信する（ステップＳ１０２）。
【００４４】
次に、ステップＳ１０３にて、コマンド送信（ステップＳ１０２）に対する応答を確認する。応答がある場合は検出情報の記録（ステップＳ１０４）を実行し、ステップＳ１０５で画像表示装置の検出シーケンスを終了する。ステップＳ１０３で応答のない場合は、そのままステップＳ１０５で検出シーケンスを終了する。
【００４５】
図４は、ホスト端末４００の文字列入力からコマンド送信までの動作を示すフローチャートである。ステップＳ１０１にて動作を開始し、ステップＳ１０７において文字列を入力し、その文字列の送信をステップＳ１０８で確認する。使用者が文字列を送信するとステップＳ１０８で送信を検知するので、文字符号情報の生成（ステップＳ１０９）を行い、通信用のコマンドへの変換（ステップＳ１１０）を行う。次にステップＳ１１１にて、検出コマンドの検出情報記録の結果を確認し（ステップＳ１０４）、検出情報がある場合はその検出情報に基づき、コマンド送信を実行し（ステップＳ１１２）、終了する（ステップＳ１１３）。検出情報が無い場合は、そのまま終了する（ステップＳ１１３）。
【００４６】
以上の様に、ホスト端末４００を構成することにより、ＧＵＩ等により文字列の入力が容易に行え、ホスト端末４００から文字画像が表示可能な画像表示装置を検出し文字符号情報を送出することにより、使用者が容易に画像表示装置１００に任意の文字画像を表示することが可能となる。
【００４７】
また、ホスト端末４００で構成される要素はそれぞれ、ホスト端末４００内に構成されるメモリや演算装置においてソフトウエアで実現しても良い。
【００４８】
また、ホスト端末４００は、汎用のパーソナルコンピュータ等を用いて構成することにより、ホスト端末４００を容易に入手することが可能となる。
【００４９】
次に、この発明装置の画像表示装置の検出プロトコルの動作について説明する。図５は、画像表示装置の検出プロトコルの内容を示すシーケンスフローである。画像表示装置の検出プロトコルにより、予め定められた文字列を図２における通信コマンド変換手段２３において通信コマンドに変換した信号である、文字画像が表示可能な画像表示装置を検出するためのコマンドを“ＷＰＲＪ”、また文字画像が表示可能な画像表示装置が“ＷＰＲＪ”コマンドをネットワークを介して受信した時の返信（応答送信）を“ＡＰＲＪ”と定義し、それぞれ例えばＵＤＰコマンド通信で通信を行う。
【００５０】
図５におけるホスト端末３１は、図２に示すホスト端末４００のネットワークＩ／Ｆ手段２０に対応し、対応画像表示装置３２は、図１に示す画像表示装置１００のネットワークＩ／Ｆ手段５の通信に対応する。また非対応機器３３は、図示しない文字画像の表示非対応機器のネットワークＩ／Ｆ手段に対応する。
【００５１】
次に、画像表示装置の検出プロトコルの動作の詳細について説明する。ホスト端末３１より画像表示装置の検出プロトコルの検出コマンドＷＰＲＪ３４及び３５が送信される。ＷＰＲＪ３４を受信した対応画像表示装置３２は、ＷＰＲＪ３４の検出コマンドに反応し、直ちにその応答コマンドであるＡＰＲＪ３６をホスト端末３１へ返信する。ＡＰＲＪ３６を受信したホスト端末３１は、対応画像表示装置３２が文字画像が表示可能な画像表示装置であると認識し、情報を保存する。
【００５２】
次に、ＷＰＲＪ３５を受け取った非対応機器３３は、検出コマンドが判別できず応答しないか、応答しても正しい応答コマンドは返信しない。この時、ホスト端末３１は応答が無ければ無視し、返信コマンドが間違えていれば文字画像が表示可能な画像表示機器ではないと判断する。
【００５３】
＜Ａ−６．効果＞
この発明にかかる実施の形態１によれば、画像表示システムにおいて、文字符号情報を送信する端末であるホスト端末４００と、ホスト端末４００とネットワークを介して接続され、画像を表示する画像表示装置１００とを備え、画像表示装置１００は、映像信号が入力される第１入力手段である入力ソース選択手段１と、ホスト端末４００から送信される文字符号情報を受信する第１ネットワークインターフェース手段であるネットワークＩ／Ｆ手段５と、ネットワークＩ／Ｆ手段５における文字符号情報から、文字画像を生成する文字画像生成手段６と、入力ソース選択手段１における映像信号と、文字画像生成手段６における文字画像とを合成する画像合成手段３と、画像合成手段３において合成した画像を表示する画像表示手段４とを備えることで、任意の文字列を文字符号情報として画像表示装置１００に送信し、画像表示装置１００において文字画像として映像信号と合成することができるので、映像信号に固定化されない（依存しない）文字画像を表示映像上に表示することが可能となる。
【００５４】
また、ホスト端末は汎用のパーソナルコンピュータで実現できるため、任意の文字画像を表示するシステムを容易に提供可能となる効果がある。
【００５５】
また、この発明にかかる実施の形態１によれば、画像表示システムにおいて、文字符号情報に対応する文字形状の情報である文字画像情報を予め記憶する記憶手段７をさらに備え、文字画像生成手段６は、文字符号情報と、記憶手段７における文字画像情報とから、文字画像を生成することで、任意の文字列を文字符号情報として画像表示装置１００に送信し、画像表示装置１００において文字画像情報を用いて文字画像を生成し、文字画像として映像信号と合成することができるので、映像信号に固定化されない文字画像を表示映像上に表示することが可能となる。
【００５６】
また、この発明にかかる実施の形態１によれば、画像表示システムにおいて、第１入力手段は、入力される映像信号の切り替え、選択を行う入力ソース選択手段１であることで、任意の文字列を文字符号情報として画像表示装置１００に送信し、画像表示装置１００において文字画像として切り替え、選択された映像信号と合成することができるので、映像信号に固定化されない文字画像を表示映像上に表示することが可能となる。
【００５７】
また、この発明にかかる実施の形態１によれば、画像表示システムにおいて、複数の画像表示装置１００を備える画像表示システムであって、ホスト端末４００は、文字画像を表示可能な画像表示装置１００を、検出プロトコルによって検出する検出手段２６と、検出手段２６において検出した画像表示装置１００を記憶する表示装置記憶手段である検出画像表示装置情報記憶手段２４とを備えることで、画像表示装置にネットワークインターフェースを付加し、ホスト端末から画像表示装置を検出する検出プロトコルによって検出された画像表示装置１００に文字符号情報を送信し、画像表示装置１００で受信した文字符号情報から文字画像を生成して表示画像に合成するので、表示画像に依存せず文字画像を確実に表示映像上に表示する効果がある。
【００５８】
また、この発明にかかる実施の形態１によれば、画像表示システムにおいて、ホスト端末４００は、文字列を外部入力可能な第２入力手段である表示文字情報入力手段２１と、表示文字情報入力手段２１における文字列から、文字符号情報を生成する文字符号情報生成手段２２と、文字符号情報生成手段２２において生成した文字符号情報を、ネットワークに送信するための通信コマンドに変換する通信コマンド変換手段２３と、通信コマンド変換手段２３において変換した通信コマンドを、複数の画像表示装置１００に送信する第２ネットワークインターフェース手段であるネットワークＩ／Ｆ手段２０とをさらに備え、検出プロトコルは、予め決められた所定文字列をネットワークを介して複数の画像表示装置に送信し、文字画像を表示可能な画像表示装置１００がネットワークを介してその応答送信をすることで、文字画像を表示可能な画像表示装置１００を検出することで、画像表示装置にネットワークインターフェースを付加し、ホスト端末から画像表示装置を検出する検出プロトコルによって検出された画像表示装置１００に文字符号情報を送信し、画像表示装置１００で受信した文字符号情報から文字画像を生成して表示画像に合成するので、表示画像に依存せず文字画像を確実に表示映像上に表示する効果がある。
【００５９】
＜Ｂ．実施の形態２＞
図６はこの発明装置の実施の形態２の概略構成を示すブロック図である。実施の形態２における発明のホスト端末４０１の構成は、実施の形態１におけるホスト端末４００の構成のうち、検出画像表示装置情報記憶手段２４を検出画像表示装置リスト記憶手段２５とすることにより実現する。
【００６０】
＜Ｂ−１．ホスト端末の構成＞
前述のとおり、実施の形態２におけるホスト端末４０１は、実施の形態１におけるホスト端末４００の検出画像表示装置情報記憶手段２４を、検出画像表示装置リスト記憶手段２５に置き換えた構成になっている。その他の構成要素、またその相互の接続に関しては実施の形態１に示した場合と同様であるので、説明を省略する。
【００６１】
＜Ｂ−２．ホスト端末の動作＞
次に、ホスト端末４０１の動作の詳細について説明する。ホスト端末４０１は、ネットワークを介し文字画像が表示可能な画像表示装置を検出するための画像表示装置の検出プロトコルによる画像表示装置検出コマンドを送信する。
【００６２】
文字画像が表示可能な画像表示装置、例えば実施の形態１で示した画像表示装置１００は検出プロトコルに反応し、ホスト端末４０１に対し応答を送信する。ホスト端末４０１は、応答を受信し検出した複数の画像表示装置をリスト化し、検出画像表示装置リスト記憶手段２５に保存する。
【００６３】
また、ホスト端末４０１は、表示文字列入力手段２１で使用者から表示文字列の入力を受ける。表示文字列入力が完了した後、使用者が情報を送信すると表示文字列入力手段２１の出力は文字符号情報生成手段２２で入力文字を文字コードに変換し、体裁をコード化して文字符号情報を生成し、生成された文字符号情報は通信コマンド変換手段２３にて通信用のコマンドに変換される。
【００６４】
通信コマンド変換手段２３の出力はネットワークＩ／Ｆ手段２０へ送られ、ネットワークＩ／Ｆ手段２０は検出画像表示装置リスト記憶手段２５に記憶され、リスト化された複数の送信先に対し一度に通信コマンド変換手段２３の出力を送信する。
【００６５】
ネットワークＩ／Ｆ手段２０より送出された通信データは、検出画像表示装置リスト記憶手段２５のリスト化された例えば画像表示装置１００，２００，３００で受信され、それぞれの画像表示装置において表示画像１０，２０１，３０１の様に表示画像中に文字画像が表示される。
【００６６】
次に、ホスト端末４０１の動作の流れをフローチャートで説明する。図７は、ホスト端末４０１のプロジェクタ（画像表示装置）検出の動作を示すフローチャートである。まず、開始（ステップＳ１０１）よりシーケンスを開始すると画像表示装置の検出プロトコルによる画像表示装置検出コマンドを送信する（ステップＳ１０２）。
【００６７】
次に、ステップＳ１０３にて、コマンド送信（ステップＳ１０２）に対する応答を確認する。応答がある場合は画像表示装置のリスト作成を実行し（ステップＳ１０６）、ステップＳ１０５で画像表示装置検出シーケンスを終了する。ステップＳ１０３で応答のない場合は、そのままステップＳ１０５で検出シーケンスを終了する。
【００６８】
図８は、ホスト端末４０１の文字列入力からコマンド送信までの動作を示すフローチャートである。ステップＳ１０１にて動作を開始し、ステップＳ１０７において文字列を入力し、その文字列の送信をステップＳ１０８で確認する。使用者が文字列を送信するとステップＳ１０８で送信を検知するので、文字符号情報生成（ステップＳ１０９）を行い、通信用のコマンドへの変換（ステップＳ１１０）を行う。次にステップＳ１１４にて、検出コマンドの画像表示装置リスト作成の結果を確認し（ステップＳ１０６）、リストがある場合はリストに基づき、コマンド送信を実行し（ステップＳ１１５）、終了する（ステップＳ１１３）。検出情報が無い場合は、そのまま終了する（ステップＳ１１３）。
【００６９】
以上の様に、ホスト端末４０１で文字画像が表示可能な画像表示装置のリストを保存し、リスト化された画像表示装置に対し文字符号情報を送信することにより、一度に複数のプロジェクタ（画像表示装置）に対し、出力画像に依存せず任意の文字画像を提供することが可能となる。
【００７０】
＜Ｂ−３．効果＞
この発明にかかる実施の形態２によれば、画像表示システムにおいて、表示装置記憶手段としての検出画像表示装置リスト記憶手段２５は、検出した複数の画像表示装置をリスト化して記憶することで、ホスト端末４０１で文字画像が表示可能な画像表示装置のリストを保存し、リスト化された画像表示装置に対し文字符号情報を送信することにより、一度に複数のプロジェクタ（画像表示装置）に対し、出力画像に依存せず任意の文字画像を提供することが可能となる。
【産業上の利用可能性】
【００７１】
本発明の活用例として、ネットワークインターフェースを具備した画像表示装置とホスト端末により構成される画像表示システムに適用され、ホスト端末より画像表示が可能な画像表示装置を検出プロトコルで特定し文字符号情報を送信することで、出力画像に依存せず、画像表示装置に文字画像を表示する。
【符号の説明】
【００７２】
１  入力ソース選択手段、２  画像信号処理手段、３  画像合成手段、４  画像表示手段、５，２０  ネットワークＩ／Ｆ手段、６  文字画像生成手段、７  記憶手段、８  ＤＶＤプレーヤー、９  パーソナルコンピュータ、１０，２０１，３０１  表示画像、２１  表示文字列入力手段、２２，２７  文字符号情報生成手段、２３  通信コマンド変換手段、２４  検出画像表示装置情報記憶手段、２５  検出画像表示装置リスト記憶手段、２６  検出手段、３１，４００，４０１  ホスト端末、３２  対応画像表示装置、３３  非対応機器、３４，３５  ＷＰＲＪ、３６  ＡＰＲＪ、１００，２００，３００  画像表示装置。
【図１】
2010243865.tif 000003
【図２】
2010243865.tif 000004
【図３】
2010243865.tif 000005
【図４】
2010243865.tif 000006
【図５】
2010243865.tif 000007
【図６】
2010243865.tif 000008
【図７】
2010243865.tif 000009
【図８】
2010243865.tif 000010